(57)【要約】【課題】  充電条件の異なる複数種のバッテリを、それぞれの充電条件に従って充電することができ、種類の異なるバッテリ毎に充電器を変えなければならず且つ複数個の充電器を管理しなければならないという煩雑さを解消することができる充電器を提供することを課題とする。【解決手段】  充電器本体１０内には、外部から供給される電力を、充電条件に従った形態の電力に変換する充電電力供給装置１１と、充電情報読出し手段１３を介してメモリカード２０内に記憶されている充電情報を取得して充電電力供給手段に充電条件を設定する制御手段１２が配設されている。メモリカード２０は、充電器本体１０に着脱自在に装着できる形態に構成されている。  【選択図】  図２
2005312115.tif 000002
【特許請求の範囲】
【請求項１】
外部から供給される電力を、設定された充電条件に従った形態の電力に変
換して充電すべき対象バッテリに供給する充電電力供給手段と、
前記対象バッテリに対応した充電条件に関する充電情報を記憶した充電情報記憶手段と
、
該充電情報記憶手段に記憶されている前記充電情報を読み出す充電情報読出し手段と、
該充電情報読出し手段によって読み出された前記充電情報に従って前記充電電力供給手
段に前記充電条件を設定する制御手段とを具えた充電器であって、
前記充電電力供給手段，前記充電情報読出し手段および前記制御手段は、充電器本体内
に配設され、前記充電情報記憶手段は、前記充電器本体に着脱自在に装着可能な形態に構
成されていることを特徴とする充電器。
【請求項２】
前記充電情報記憶手段は、磁気記憶媒体を具えたメモリカードの形態に構
成されていることを特徴とする請求項１に記載の充電器。
【発明の詳細な説明】
【技術分野】
【０００１】
本発明は、バッテリを充電する充電器に関するものである。
【背景技術】
【０００２】
近年、ノートブックパソコンや携帯電話等の携帯可能な情報機器が数多く市販されてい
る。これらの携帯可能な情報機器は、通常、充電可能なバッテリをその電源としている。
【０００３】
これらの機器においては、その機能を十分に発揮させるのに最適な特性の電力（電圧お
よび電流）を供給することができる専用のバッテリが指定されており、かつこのバッテリ
を充電するのに最適な充電条件を具えた専用の充電器が指定されている。
【発明の開示】
【発明が解決しようとする課題】
【０００４】
このように、現在ではそれぞれが固有の特性を有する様々な充電可能なバッテリが存在
しているために、数種類の機器を使用する使用者の場合、その使用者は、使用する機器の
種類の数と略同数の充電器を紛失しないように管理しておかなければならないという問題
が生じている。
【課題を解決するための手段】
【０００５】
以上の問題を解決するために本発明は、外部から供給される電力を、設定された充電条
件に従った形態の電力に変換して充電すべき対象バッテリに供給する充電電力供給手段と
、前記対象バッテリに対応した充電条件に関する充電情報を記憶した充電情報記憶手段と
、該充電情報記憶手段に記憶されている前記充電情報を読み出す充電情報読出し手段と、
該充電情報読出し手段によって読み出された前記充電情報に従って前記充電電力供給手段
に前記充電条件を設定する制御手段とを具えた充電器であって、前記充電電力供給手段，
前記充電情報読出し手段および前記制御手段は、充電器本体内に配設され、前記充電情報
記憶手段は、前記充電器本体に着脱自在に装着可能な形態に構成されていることを特徴と
するものである。
【０００６】
なお、前記充電情報記憶手段は、磁気記憶媒体を具えたメモリカードの形態に構成して
もよい。
【発明の効果】
【０００７】
本発明によれば、充電条件の異なる複数種のバッテリを、それぞれの充電条件に従って
充電することができ、種類の異なるバッテリ毎に充電器を変えなければならず且つ複数個
の充電器を管理しなければならないという煩雑さを解消することができる。
【発明を実施するための最良の形態】
【０００８】
以下、図面を用いて本発明の実施例について説明する。
【実施例１】
【０００９】
図１は、本発明の実施例１の外部構成を示した斜視図である。図１において、１０は本
発明に係る充電器本体であり、この充電器本体１０は、家庭用のコンセント（ＡＣ１００
Ｖ）に差し込み可能な差込片１０ａが配設されたプラグの形態に構成されている。
【００１０】
２０は、後述する充電条件に関する充電情報が記憶されている磁気記憶媒体を具えたメ
モリカードである。このメモリカード２０は充電器本体１０に着脱自在に装着できるよう
に構成されている。
【００１１】
３０は、充電する対象バッテリを接続するためのコネクタである。
【００１２】
図２は、充電器本体１０の内部構成を示したブロック図である。
【００１３】
図２に示したように、充電器本体１０の内部には、充電電力供給手段１１、制御手段１
２、充電情報読出し手段１３が配設されている。
【００１４】
本実施例１においては、充電電力供給手段１１は、ＡＣ１００ＶをＤＣ１８Ｖに変換す
るＡＣ−ＤＣコンバータ１１ａと、ＤＣ１８Ｖの電力の供給を受け、あらかじめ設定され
た充電条件に従った形態の電力に変換し、この電力をコネクタ３０を介して対象バッテリ
４０に供給する充電電力供給装置１１ｂとによって構成されている。この充電電力供給装
置１１ｂとして、本実施例１では、米国マキシム社（Ｍａｘｉｍ  Ｉｎｔｅｇｒａｔｅｄ
【００１５】
Ｐｒｏｄｕｃｔｓ）製のＭＡＸ１６４５Ｂを使用している。
【００１６】
１２は、充電情報読出し手段１３によって読み出されたメモリカード２０内の充電情報
に基づき、後述するプログラムに従って充電電力供給装置１１ｂに充電条件を設定するＣ
ＰＵを具えた制御手段である。
【００１７】
ここで、本実施例１においては、充電情報記憶手段であるメモリカード２０の磁気記憶
媒体に記憶されている充電情報を、充電情報読出し手段１３によって読み出す構成となっ
ているが、この充電情報の記憶形態は、本実施例１のような磁気記録に限られるものでは
なく、どのような形態のものであってもよい。例えばパンチカードのような穿孔を用いた
記憶形態であってもよい。
【００１８】
図３は、メモリカードに２０記憶されている充電条件に関する充電情報のメモリマップ
５０を示したものである。
【００１９】
図３において、「対象バッテリコード」とは、対象バッテリを特定するための対象バッ
テリに対応したコードであり、「対象バッテリ固有情報」とは対象バッテリの種類、すな
わちＬｉ＋，ＮｉＣｄ等の種類に関する情報であり、「充電データのバージョン番号」と
は、このメモリカードに記憶されている充電情報のバージョンの番号である。
【００２０】
なお、図２において、ＲＤはリードデータライン，ＣＳＧは制御信号ライン，Ｖｃｃは
制御手段１２に電力を供給する電源ライン，ＳＣＬは充電電力供給装置１１ｂにクロック
信号を供給するクロック信号ライン，／ＩＮＴは割込信号ライン，ＢＡＴＴは充電電力供
給ライン，ＴＨＭは温度検出信号ラインである。
【００２１】
図４は、制御手段１２内のＣＰＵが実行すべきプログラムを示したフローチャートであ
る。
【００２２】
以下、図４を用いて本実施形態の動作を説明する。
【００２３】
充電器本体１０にメモリカード２０が装着された状態で、充電器本体１０が外部電源（
ＡＣ１００Ｖ）に接続され、コネクタ３０に対象バッテリ４０が接続されると、ＣＰＵは
ステップＳ１に進んで、メモリカード２０から図３に示した形態で記憶されている充電情
報を取得する。
【００２４】
次にステップＳ２に進んで、対象バッテリ４０の現在の状態を検知するようアラーム・
ウォーニング（Ａｌｅｒｍ  Ｗａｒｎｉｎｇ）コマンドを充電電力供給装置１１ｂに発行
する。
【００２５】
さらにステップＳ３に進んで、充電を開始するための充電用初期設定を行うようチャー
ジ・モード（Ｃｈａｒｇｅ  Ｍｏｄｅ）コマンドを充電電力供給装置１１ｂに発行する。
【００２６】
ステップＳ４では、ステップＳ１で取得した充電情報に基づいて、充電電圧コマンドと
充電電流コマンドを充電電力供給装置１１ｂに発行して、充電電力供給装置１１ｂから対
象バッテリ４０に充電電力を供給させる。
【００２７】
ステップＳ５では、充電が正常に行われているか否かを判断するデータ、すなわち充電
状態データを取得するためにチャージ・ステイタス（Ｃｈａｒｇｅ  Ｓｔａｔｕｓ）コマ
ンドを充電電力供給装置１１ｂに発行する。
【００２８】
ステップＳ６では、ステップＳ５で取得したデータに基づき、充電状態が異常か否かを
判断し、正常の場合にはステップＳ７に進む。
【００２９】
ステップＳ７では充電が終了したか否かが判断され、充電が終了した場合には、ステッ
プＳ８に進んで充電終了のためのチャージ・モード（Ｃｈａｒｇｅ  Ｍｏｄｅ）コマンド
を充電電力供給装置１１ｂに発行して充電を終了する。
【００３０】
ステップＳ７で充電が終了していないと判断された場合は、ステップＳ４に戻り、以後
、充電が終了するまで、ステップＳ４からステップＳ７までの各ステップを繰り返し実行
する。このように各ステップを繰り返して実行しているときに、ステップＳ６で異常状態
と判断したときには、ステップＳ８に進んで充電を終了する。
【００３１】
なお、本実施例１においては、メモリカード２０に記憶されている最大充電時間が経過
したとき、または、対象バッテリ４０の温度が所定の温度となったときに、ステップＳ７
で充電が終了したと判断するように構成されている。
【００３２】
以上説明したように、本実施例１によれば、対象バッテリ４０の充電情報を記憶してい
るメモリカード２０を充電器本体１０に装着することによって、同一の充電器を用いて充
電条件の異なる多種類のバッテリを充電することができる。
【産業上の利用可能性】
【００３３】
本発明によれば、汎用性の高い充電器を提供することができ、例えば、多数の人間が利
用するホテルの室等に本発明に係る充電器を配設しておけば、そのホテルの室等の利便性
を著しく高めることができる。
【図面の簡単な説明】
【００３４】
【図１】本発明の実施例１の外部構成を示した斜視図である。
【図２】本発明の実施例１の内部構成を示したブロック図である。
【図３】メモリカード２０に記憶されている充電情報のメモリマップである。
【図４】図１に示した制御手段１２内のＣＰＵが実行すべきプログラムの一例を示したフローチャートである。
【符号の説明】
【００３５】
１０  充電器本体
１０ａ  差込片
１１  充電電力供給手段
１１ａ  ＡＣ−ＤＣコンバータ
１１ｂ  充電電力供給装置
１２  制御手段
１３  充電情報読出し手段
２０  メモリーカード
３０  コネクタ
４０  対象バッテリ
５０  メモリマップ
【図１】
2005312115.tif 000003
【図２】
2005312115.tif 000004
【図３】
2005312115.tif 000005
【図４】
2005312115.tif 000006